【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
外部装置と連携してコピー処理を行う特定コピージョブを実行可能な画像形成装置であって、
前記特定コピージョブの実行指示を受け付ける受付手段と、
原稿を読み取って画像データを生成する読取手段と、
前記受付手段によって前記特定コピージョブの実行指示を受け付けた場合、前記読取手段によって生成された画像データを前記外部装置に送信する送信手段と、
前記送信手段によって送信された前記画像データが前記外部装置によって処理された処理後の画像データを、前記外部装置から受信する受信手段と、
前記受信手段によって受信された前記処理後の画像データに基づき、記録材に画像を印刷する印刷手段と、
前記印刷手段による印刷が完了する前に前記特定コピージョブの中止が指示された場合、前記外部装置に前記特定コピージョブの中止を通知すると共に、前記受信手段によって受信された前記処理後の画像データに基づく印刷を中止する中止手段と、
を備えることを特徴とする画像形成装置。
【請求項２】
前記受付手段によって特定コピージョブの実行指示を受け付けたことに応じて、前記特定コピージョブの開始を前記外部装置に通知する通知手段を更に備え、
前記読取手段は、前記通知手段による通知に応じて前記外部装置から読み取り開始指示が送信されたことに応答して、原稿の読み取りを開始することを特徴とする請求項１に記載の画像形成装置。
【請求項３】
前記受付手段によって特定コピージョブの実行指示を受け付けたことに応じて、前記特定コピージョブを示す識別子を発行する発行手段を更に備え、
前記通知手段は、前記発行手段によって発行された識別子を前記外部装置に通知することを特徴とする請求項２に記載の画像形成装置。
【請求項４】
前記受信手段は、前記処理後の画像データと共に、前記通知手段によって前記外部装置に通知された識別子を前記外部装置から受信することを特徴とする請求項３に記載の画像形成装置。
【請求項５】
前記中止手段は、前記特定コピージョブの中止が指示された時に前記読取手段によって読取処理中であった場合には、当該読取処理を中止することを特徴とする請求項１から４のいずれか１項に記載の画像形成装置。
【請求項６】
前記識別子は、前記特定コピージョブを示す情報に加えて、ジョブ番号を含むことを特徴とする請求項３から５のいずれか１項に記載の画像形成装置。
【請求項７】
前記識別子とともに、ジョブの履歴情報を登録する履歴登録手段と、
前記履歴登録手段によって登録された履歴情報とともに、当該ジョブが特定コピージョブであることを示す情報を前記画像形成装置の表示部に表示する表示制御手段とをさらに備えることを特徴とする請求項３から６のいずれか１項に記載の画像形成装置。
【請求項８】
外部装置と、該外部装置と連携してコピー処理を行う特定コピージョブを実行可能な画像形成装置とを備える画像形成システムであって、
前記画像形成装置は、
前記特定コピージョブの実行指示を受け付ける受付手段と、
原稿を読み取って画像データを生成する読取手段と、
前記受付手段によって特定コピージョブの実行指示を受け付けた場合、前記読取手段によって生成された画像データを前記外部装置に送信する送信手段と、
前記送信手段によって送信された前記画像データが前記外部装置によって処理された処理後の画像データを、前記外部装置から受信する受信手段と、
前記受信手段によって受信された前記処理後の画像データに基づき、記録材に画像を印刷する印刷手段と、
前記印刷手段における印刷が完了する前に前記特定コピージョブの中止が指示された場合、前記外部装置に前記特定コピージョブの中止を通知すると共に、前記受信手段によって受信された前記処理後の画像データに基づく印刷を中止する第１の中止手段と、
を備え、
前記外部装置は、
前記第１の中止手段により前記特定コピージョブの中止が通知されると、該特定コピージョブの実行を中止するとともに、該特定コピージョブに関わる情報を削除する第２中止手段を備えることを特徴とする画像形成システム。
【請求項９】
外部装置と連携してコピー処理を行う特定コピージョブを実行可能な画像形成装置の制御方法であって、
前記特定コピージョブの実行指示を受け付ける受付工程と、
原稿を読み取って画像データを生成する読取工程と、
前記特定コピージョブの実行指示を受け付けた場合、前記生成された画像データを前記外部装置に送信する送信工程と、
該送信された前記画像データが前記外部装置によって処理された処理後の画像データを、前記外部装置から受信する受信工程と、
受信した前記処理後の画像データに基づき、記録材に画像を印刷する印刷工程と、
前記印刷工程における印刷が完了する前に前記特定コピージョブの中止が指示された場合、前記外部装置に前記特定コピージョブの中止を通知すると共に、前記受信工程において受信された前記処理後の画像データに基づく印刷を中止する中止工程と、
を有することを特徴とする画像形成装置の制御方法。
【請求項１０】
請求項９に記載の画像形成装置の制御方法をコンピュータに実行させるためのプログラム。
【手続補正２】
【補正対象書類名】明細書
【補正対象項目名】発明の名称
【補正方法】変更
【補正の内容】
【発明の名称】画像形成装置、その制御方法、プログラム、及び画像形成システム
【手続補正３】
【補正対象書類名】明細書
【補正対象項目名】０００１
【補正方法】変更
【補正の内容】
【０００１】
本発明は、画像形成装置、その制御方法、プログラム、及び画像形成システムに関するものである。
【手続補正４】
【補正対象書類名】明細書
【補正対象項目名】０００９
【補正方法】変更
【補正の内容】
【０００９】
本発明は、例えば、外部装置と連携してコピー処理を行う特定コピージョブを実行可能な画像形成装置であって、前記特定コピージョブの実行指示を受け付ける受付手段と、原稿を読み取って画像データを生成する読取手段と、前記受付手段によって前記特定コピージョブの実行指示を受け付けた場合、前記読取手段によって生成された画像データを前記外部装置に送信する送信手段と、前記送信手段によって送信された前記画像データが前記外部装置によって処理された処理後の画像データを、前記外部装置から受信する受信手段と、前記受信手段によって受信された前記処理後の画像データに基づき、記録材に画像を印刷する印刷手段と、前記印刷手段による印刷が完了する前に前記特定コピージョブの中止が指示された場合、前記外部装置に前記特定コピージョブの中止を通知すると共に、前記受信手段によって受信された前記処理後の画像データに基づく印刷を中止する中止手段と、を備えることを特徴とする。
【手続補正５】
【補正対象書類名】明細書
【補正対象項目名】００１０
【補正方法】変更
【補正の内容】
【００１０】
また、本発明は、例えば、外部装置と、該外部装置と連携してコピー処理を行う特定コピージョブを実行可能な画像形成装置とを備える画像形成システムであって、前記画像形成装置は、前記特定コピージョブの実行指示を受け付ける受付手段と、原稿を読み取って画像データを生成する読取手段と、前記受付手段によって特定コピージョブの実行指示を受け付けた場合、前記読取手段によって生成された画像データを前記外部装置に送信する送信手段と、前記送信手段によって送信された前記画像データが前記外部装置によって処理された処理後の画像データを、前記外部装置から受信する受信手段と、前記受信手段によって受信された前記処理後の画像データに基づき、記録材に画像を印刷する印刷手段と、前記印刷手段における印刷が完了する前に前記特定コピージョブの中止が指示された場合、前記外部装置に前記特定コピージョブの中止を通知すると共に、前記受信手段によって受信された前記処理後の画像データに基づく印刷を中止する第１の中止手段と、を備え、前記外部装置は、前記第１の中止手段により前記特定コピージョブの中止が通知されると、該特定コピージョブの実行を中止するとともに、該特定コピージョブに関わる情報を削除する第２中止手段を備えることを特徴とする。